(57)【要約】【課題】より使用性のよいコンパクト容器を提供すること。【解決手段】化粧料を収納する容器本体１０と、容器本体１０の上部を覆う蓋体２０と、を有するコンパクト容器１であって、蓋体２０は、容器本体１０に対してスライドして開閉するように取り付けられ、容器本体１０に対して取り外し可能に取り付けられ、後方で軸支された２枚の板状体２１、２２で構成され該板状体の内面にはいずれも鏡Ｍ１、Ｍ２が付帯されることを特徴とするコンパクト容器１。【選択図】図１
2008228984.tif 000002
【特許請求の範囲】
【請求項１】
化粧料を収納する容器本体と、前記容器本体の上部を覆う蓋体と、を有するコンパクト容器であって、
前記蓋体は、
前記容器本体に対してスライドして開閉するように取り付けられ、
前記容器本体に対して取り外し可能に取り付けられ、
後方で軸支された２枚の板状体で構成され該板状体の内面にはいずれも鏡が付帯されることを特徴とするコンパクト容器。
【請求項２】
前記容器本体には、前記蓋体に対して付勢される可撓片が形成され、
前記蓋体には、前記可撓片が係合固定される係合溝及び前記蓋体が前記容器本体に対してスライドする際に当接する当接溝が形成されることを特徴とする請求項１に記載のコンパクト容器。
【請求項３】
前記蓋体における前記２枚の板状体の前方には、前記板状体を互いに係止するため、前記板状体の一方に係止突起が形成され他方に係止溝が形成され、
前記板状体における前記係止突起又は前記係止溝の側部には、前記板状体の端部を後方に押圧して前記端部を撓ませることで前記係止突起又は前記係止溝を移動させるための間隙が形成されることを特徴とする請求項１又は２に記載のコンパクト容器。
【発明の詳細な説明】
【技術分野】
【０００１】
本発明は化粧料を収納するコンパクト容器に関する。
【背景技術】
【０００２】
コンパクト容器には、スライド機構を有し、複数の段を形成することで複数の機能を持たせたコンパクト容器がある（例えば、特許文献１参照）。特許文献１は、コンパクト容器の側面にスライド機構を設け、蓋体となる部分と、化粧料が収納される部分（３段）と、鏡が付帯される部分とが水平に重なるように、互いに連結されている。
【０００３】
【特許文献１】特開２００１−２５２１３０
【発明の開示】
【発明が解決しようとする課題】
【０００４】
しかしながら、特許文献１の構成では、鏡が付帯される部分と化粧料が収納される部分とが、互いに水平に連結されている。この構成のコンパクト容器を用いる場合、使用者は化粧料が落ちないようにコンパクト容器を水平に保つ必要があるが、コンパクト容器を水平に保った状態では鏡も水平に保たれることになる。このため、使用者は鏡を見る場合に、上から覗き込むようにせねばならず、使用しにくいという問題があった。
【０００５】
本発明の目的は、より使用性のよいコンパクト容器を提供することである。
【課題を解決するための手段】
【０００６】
上記目的を達成するためのコンパクト容器は次の構成である。
【０００７】
（１）
化粧料を収納する容器本体と、前記容器本体の上部を覆う蓋体と、を有するコンパクト容器であって、前記蓋体は、前記容器本体に対してスライドして開閉するように取り付けられ、前記容器本体に対して取り外し可能に取り付けられ、後方で軸支された２枚の板状体で構成され該板状体の内面にはいずれも鏡が付帯されることを特徴とするコンパクト容器。
【０００８】
（２）
前記容器本体には、前記蓋体に対して付勢される可撓片が形成され、前記蓋体には、前記可撓片が係合固定される係合溝及び前記蓋体が前記容器本体に対してスライドする際に当接する当接溝が形成されることを特徴とする（１）に記載のコンパクト容器。
【０００９】
（３）
前記蓋体における前記２枚の板状体の前方には、前記板状体を互いに係止するため、前記板状体の一方に係止突起が形成され他方に係止溝が形成され、前記板状体における前記係止突起又は前記係止溝の側部には、前記板状体の端部を後方に押圧して前記端部を撓ませることで前記係止突起又は前記係止溝を移動させるための間隙が形成されることを特徴とする（１）又は（２）に記載のコンパクト容器。
【発明の効果】
【００１０】
（１）の構成においては、蓋体が容器本体に対してスライドして開閉するように取り付けられ、且つ後方で軸支された２枚の板状体で構成される。また、板状体のそれぞれには、鏡が付帯される。すると、容器本体から蓋体を取り外していない状態において、板状体に対して蝶着された板状体を起こすことで、片方の鏡を使用者に向けることができる。これにより、容器本体に対して水平にスライドして開閉させる仕組みの構成であっても、鏡を覗き込むようにみて化粧をする必要はない。したがって、より使用性を向上させることができる。
【００１１】
また、蓋体が容器本体から取り外すことができ、且つ板状体と板状体とは後方が軸支されて蝶着された構成である。このため、蓋体を容器本体から取り外せば、２つの鏡を用いて合わせ鏡として用いることができ、１枚の鏡では見えない角度をも見ることができることとなり、より使用性を向上させることができる。
【００１２】
（２）の構成においては、容器本体に可撓片が形成される一方、蓋体には当接溝が形成される。すると、蓋体の当接溝は下方から容器本体の可撓片によって付勢されることになる。このようにすると、蓋体を前後にスライドさせる際に、蓋体に容器本体から適度な摩擦抵抗が加えられ、蓋体のがたつきを防止し、蓋体に円滑なスライド動作をさせることができる。
【００１３】
（３）の構成の構成においては、係止溝と係止突起の係合を外すための構成として、係止突起又は係止溝の後方側の側部に間隙を形成することとしている。このように、板状体に間隙を設けることのみで係止を外す構成とすることで、他の部材を用いることなく、係止及び係止の解除をすることができる。このため、部材点数を削減し、製作工程を削減するため、生産性がよくなる。また、間隙の手前にある板状体の端部を押圧するのみで係止を解除することができ、使用性を向上させる。
【発明を実施するための最良の形態】
【００１４】
図を用いて本実施形態のコンパクト容器１を説明する。図１はコンパクト容器１の構成を示す斜視図である。図２はコンパクト容器１の分離時の構成を示す斜視図であり、（ａ）が容器本体１０と蓋体２０との分離時の斜視図であり、（ｂ）が分離した蓋体２０を裏面から見た斜視図である。図３はコンパクト容器１の断面図及び側面図であり、（ａ）がコンパクト容器１の側面から見た断面図（及び可撓片１２部分の上面図）であり、（ｂ）が後方からみた側面図である。図４はコンパクト容器１の変形例の構成を示す斜視図である。
【００１５】
（コンパクト容器１の概略構成）
図１及び図２を用いて、コンパクト容器１の概略構成を説明する。コンパクト容器１は、化粧料や塗布具を収納する容器本体１０と、容器本体１０の上部を覆う蓋体２０とから構成される。
【００１６】
本実施形態のコンパクト容器１は、蓋体２０が容器本体１０に対してスライドして開閉するように構成される。また、図２（ａ）に示すように、蓋体２０は容器本体１０から取り外して使用することができる。次に、容器本体１０や蓋体２０の各部を説明する。
【００１７】
（コンパクト容器１の詳細構成）
図１乃至図３を用いて、コンパクト容器１の各部を詳細に説明する。
【００１８】
容器本体１０は、図１に示すように、化粧料を収納する収納部１０Ａや、チップ、ブラシ、パフ、スポンジ等の塗布具を収納する収納部１０Ｂを有する。また、容器本体１０は、上面が開口となっており、側面に蓋体２０を水平方向にスライド移動させるスライド溝１１が形成される。
【００１９】
容器本体１０の後方の上面には、図２及び図３に示すように、可撓片１２が形成される。この可撓片１２の突出部１２ｂの頂部は、容器本体１０の天面１０ａよりも上方へ突出している。また、可撓片１２は、容器本体１０と一体的に可撓性のある合成樹脂から構成されており、可撓片１２の周囲には切欠１２ａがある。このような構成であるため、切欠１２ａの内部の部分は、可撓片１２に対して上方からの押圧力が加わると撓み、可撓片１２はこの押圧力に抗して上方に付勢される。
【００２０】
蓋体２０は、図１乃至図３に示すように、後方をピン等の軸３０により軸支された２枚の板状体（上部の板状体２１、下部の板状体２２）から構成される。板状体２１及び板状体２２の内面には、いずれもそれぞれ鏡Ｍ１、Ｍ２が付帯される。鏡Ｍ１、Ｍ２は、どちらも通常の鏡としてもよいが、どちらか一方を拡大鏡としてもよい。
【００２１】
また、板状体２１の内面の前方には、板状体２２と係止するための係止溝２１ａが形成される。同様に、板状体２２の内面の前方には、板状体２１と係止するための係止突起２２ａが形成される。また、係止突起２２ａの後方側の側部に、係止突起２２ａと隣接するようにして、板状体２２を貫通するように形成された間隙２２ｂが形成される。この間隙２２ｂがあることにより、使用者が板状体２２の端部２２ｃを前方から後方に押圧すると、間隙２２ｂよりも前方にある板状体２２の端部２２ｃが後方側に撓む。すると係止突起２２ａも同時に後方に移動し、係止溝２１ａと係止突起２２ａとの係止が外れる。これにより、板状体２１が開くことになる。
【００２２】
蓋体２０の板状体２２の側面には、容器本体１０のスライド溝１１に嵌まり込み、スライド可能に構成されるスライド突部２３が形成される。ここで、スライド突部２３とスライド溝１１との間には、適度な間隙が形成される。これにより、蓋体２０は容器本体１０に対してスライド可能に構成される。
【００２３】
また、本実施形態においては更に、円滑にスライドさせるために次に説明するような構成がある。具体的には、図２（ｂ）に示すように、板状体２２の裏面において、コンパクト容器１の前方側から後方側にかけて３つの溝が形成される。
【００２４】
まず、最も前方には、係合溝２２ｄが形成される。係合溝２２ｄは、奥行きが短く深さが容器本体１０の可撓片１２のうち突出部１２ｂが天面１０ａから突出している部分の高さよりも深い。このため、可撓片１２の頂部が係合溝２２ｄに当接せず、係合溝２２ｄと可撓片１２とが係合固定する。
【００２５】
次に、中央には、前後方向に当接溝２２ｅが延設される。当接溝２２ｅは、奥行きが長く深さが可撓片１２の高さよりも浅い。このため、蓋体２０が容器本体１０上をスライドする間、前述のように撓むことにより上方に付勢される可撓片１２は、当接溝２２ｅに当接する。
【００２６】
最後に、最も後方には、係合溝２２ｆが形成される。係合溝２２ｆも奥行きが短く深さが容器本体１０の可撓片１２のうち突出部１２ｂが天面１０ａから突出している部分の高さよりも深い。このため、可撓片１２の頂部が係合溝２２ｆに当接せず、係合溝２２ｆと可撓片１２とが係合固定する。
【００２７】
（コンパクト容器１の動作）
この３つの溝により、コンパクト容器１は次のような動作をする。コンパクト容器１の未使用時には、図３（ａ）に示すように、容器本体１０の可撓片１２の突出部１２ｂが蓋体２０の係合溝２２ｆに係合する。この場合において、係合溝２２ｆは蓋体２０を容器本体１０に留めておくストッパの役割を果たす。
【００２８】
ここで、使用者が蓋体２０を持って後方側に力を加えると、可撓片１２の突出部１２ｂと係合溝２２ｆとの係合が外れ、可撓片１２の突出部１２ｂは、当接溝２２ｅと当接するようになる。この状態において、可撓片１２の突出部１２ｂは、下方に撓みつつ当接溝２２ｅと当接し、当接溝２２ｅを付勢する。これにより、蓋体２０が容器本体１０の前後にスライドされるとき、適度な摩擦抵抗が容器本体１０から蓋体２０に付与される。
【００２９】
そして、蓋体２０を更に後方にスライドさせていくと、可撓片１２の突出部１２ｂは当接溝２２ｅと係合溝２２ｄとの間の凸部に当たる。この状態で使用者が後方に力を加えると、可撓片１２が前記凸部を乗り越えて係合溝２２ｄに係合することとなる。このように可撓片１２の突出部１２ｂが係合溝２２ｄに係合すると、蓋体２０は容器本体１０の後方で止まる。以上のように、係合溝２２ｄはストッパの役割を果たす。
【００３０】
さらにこの状態で使用者が後方に力を加えると、可撓片１２が係合溝２２ｄを超え、蓋体２０が容器本体１０から外れる。
【００３１】
（コンパクト容器１の使用時の作用効果について）
以上のような構成により、使用時の状態を説明しつつ作用効果を詳細に説明する。
【００３２】
まず、蓋体２０が容器本体１０に対してスライドして開閉するように取り付けられ、且つ後方で軸支された２枚の板状体２１、２２で構成される。板状体２１、２２のそれぞれには、鏡Ｍ１、Ｍ２が付帯される。すると、図１に示すように、容器本体１０から蓋体２０を取り外していない状態において、板状体２２に対して蝶着された板状体２１を起こすことで、鏡Ｍ１を使用者に向けることができる。これにより、容器本体１０に対して水平にスライドして開閉させる仕組みの構成であっても、鏡Ｍ２を覗き込むようにみて化粧をする必要はない。したがって、より使用性を向上させることができる。
【００３３】
また、図２に示すように蓋体２０が容器本体１０から取り外すことができ、且つ板状体２１と板状体２２とは後方が軸支され蝶着された構成である。このため、蓋体２０を容器本体１０から取り外せば、鏡Ｍ１と鏡Ｍ２とで合わせ鏡として用いることができ、１枚の鏡では見えない角度をも見ることができることとなり、より使用性を向上させることができる。
【００３４】
更に、板状体２１の鏡Ｍ１と板状体２２の鏡Ｍ２とは、収納時に互いに向き合って収納される。このとき、鏡の面と化粧料とは向き合わない。このため、収納部１０Ａに収納された化粧料がつくことはなく、一般的な形態のコンパクト容器と比較して、収納時の鏡Ｍ１、Ｍ２の汚れを防止することができる。尚、ここでいう一般的な形態のコンパクト容器とは、容器本体と内面に鏡を貼着した蓋体とを後方で蝶着したものをいう。
【００３５】
本実施形態においては、容器本体１０に可撓片１２が形成され、蓋体２０に可撓片１２の突出部１２ｂが天面１０ａより突出した部分の高さよりも深さが浅い当接溝２２ｅが形成される。したがって、蓋体２０はスライドする際に、両側面のスライド突部２３を容器本体１０のスライド溝１１に嵌め込みつつ、下方から可撓片１２の突出部１２ｂによって付勢される。このようにすると、蓋体２０を容器本体１０の前後にスライドさせる際に、蓋体２０に容器本体１０から適度な摩擦抵抗が加えられ、蓋体２０のがたつきを防止し、蓋体２０に円滑なスライド動作をさせることができる。
【００３６】
また、係合溝２２ｄ及び係合溝２２ｆを設けたことで、コンパクト容器１を開けて蓋体２０を容器本体１０から取り外す前や、コンパクト容器１を閉じて収納するときに、容器本体１０の可撓片１２が撓んで、蓋体２０の係合溝２２ｄ、２２ｆに適度な強度で嵌まり込む。このため、蓋体２０が容器本体１０から脱落することを防ぐことができ且つ取り外しも可能となり、より使用性を向上させることができる。
【００３７】
本実施形態においては、蓋体２０の２つの板状体２１、２２に形成される、係止溝２１ａと係止突起２２ａとの係合を外すための構成として、係止突起２２ａの後方側に間隙２２ｂを形成することとしている。このように、板状体２２に間隙２２ｂを設けることのみで係止を外す構成とすることで、従来用いられていたようなフックピース等の他の部材を用いることなく、板状体２１と板状体２２の部材のみで係止及び係止の解除をすることができる。したがって、係止を解除するための部材を別途作る必要がなく、係止を解除するための部材を組み立てる必要もなくなる。このため、部材点数を削減し、製作工程を削減するため、生産性がよくなる。また、間隙２２ｂの手前にある板状体２２の端部２２ｃを押圧するのみで係止溝２１ａと係止突起２２ａの係止を解除することができるようになり、使用性を向上させる。
【００３８】
また、本実施形態においては、板状体２１と板状体２２の内面は鏡Ｍ１、Ｍ２のみとしたが、これに限るものではない。例えば、変形例として図４に示すように、板状体２１の内面に、鏡Ｍ１の他、化粧料を収納する収納部２０Ａを形成することとしてもよい。
【産業上の利用可能性】
【００３９】
本発明は、化粧料容器以外にも、蓋体が容器本体にスライド可能に構成された容器全般に利用することができる。
【図面の簡単な説明】
【００４０】
【図１】コンパクト容器１の構成を示す斜視図。
【図２】コンパクト容器１の分離時の構成を示す斜視図。
【図３】コンパクト容器１の断面図及び側面図。
【図４】コンパクト容器１の変形例の構成を示す斜視図。
【符号の説明】
【００４１】
Ｍ１…鏡、Ｍ２…鏡、１…コンパクト容器、１０…容器本体、１０Ａ…収納部、１０Ｂ…収納部、１０ａ…天面、１１…スライド溝、１２…可撓片、１２ａ…切欠、１２ｂ…突出部、２０…蓋体、２０Ａ…収納部、２１…板状体、２１ａ…係止溝、２２…板状体、２２ａ…係止突起、２２ｂ…間隙、２２ｃ…端部、２２ｄ…係合溝、２２ｅ…当接溝、２２ｆ…係合溝、２３…スライド突部、３０…軸
【図１】
2008228984.tif 000003
【図２】
2008228984.tif 000004
【図３】
2008228984.tif 000005
【図４】
2008228984.tif 000006